(57)【要約】【課題】  高齢者等の腰の具合が良くない人が、床付近の低い位置にあるコンセントから家電製品等の電源プラグを抜き差しする際、苦痛を感じるという欠点があった。本発明はこの欠点に対し、直立した状態で苦痛を感じることなく、コンセントから家電製品等の電源プラグを容易に抜き差しすることができる。【解決手段】  上下方向に固定されたレールに沿って移動できるコンセントを構成し、上下２つの滑車に渡されたひもを介して可動ハンドルとコンセントを接続し、この可動ハンドルを手で上下に動かすことでコンセントが上下に動く。【選択図】図１
2019213447.tif 000002
【特許請求の範囲】
【請求項１】
電源コードを介して外部から給電されるコンセントにおいて、手動又は、電動等の方法により、固定されたレールに沿って任意に上下方向に移動させることができることを特徴とする上下可動コンセント。
【請求項２】
レールに沿って移動させることができるホルダーに、卓上延長コンセントを固定する構造を備えることを特徴とする請求項１の上下可動コンセント。
【請求項３】
レールで構成される本体を天井から床面にかけて取り付けられる構造を備えることを特徴とする請求項１の上下可動コンセント。
【発明の詳細な説明】
【技術分野】
【０００１】  本発明は、家電製品等の電源プラグの抜き差しを容易にする上下可動コンセントに関する。
【背景技術】
【０００２】  従来、家電製品等を使う時に電源プラグを接続するコンセントは、通常壁面に固定されているが、それを使う人によっては使い難い高さのために不便を感じることがあった。そこで、電器製品を使い易くするために、吊り戸棚に設けたレールと、電源ケーブルを巻き取るリール機構を組み合わせることで、コンセントの位置を上下左右に自由に可動することが出来る様にした（特許文献１）や、壁に予め設けられたスリットの対向面に結線用の導電性接点を設けることで、コンセントの高さを任意に変えられる（特許文献２）が開示されている。
【先行技術文献】
【特許文献】
【０００３】
【特許文献１】特開２００９−２８１４５号公報
【特許文献２】特開平１１−１５５２１５号公報
【発明の概要】
【発明が解決しようとする課題】
【０００４】  しかし特許文献１は、ワークトップで使う電気製品を使い易くするために吊り戸棚からのコンセントの高さを調整するものであり、使用場所、高さが限定的である。
また特許文献２は、コンセントそのものを手で移動させるものであり、またその構成故に導電性接点が外気に晒されるため、長期間使わない接点が腐食し、通電が妨げられることが懸念される。
本発明は、電源コードで給電されるコンセントを、屋内の任意の場所に固定されたレールに沿って、直立状態で任意の高さに上下動できる点で異なる。
これにより特許文献１に対し、床付近の低いところに設置されることが多いコンセントへの、家電製品等の電源プラグの抜き差しを容易にすることができる。
これにより特許文献２に対し、導電性接点がないため腐食による通電不具合がなく、直立した状態で姿勢を変えずにコンセントを上下動させることができる。【０００５】  本発明が解決しようとする課題は、一般的な家電製品の多くは床付近の低い所で使用するため、それに電力を供給するコンセントは通常床付近の低いところに設置されるが、高齢者等の腰の具合が良くない人が直立した状態で苦痛を感じることなく、家電製品等の電源プラグを容易に抜き差しできるコンセントを提供することである。
【課題を解決するための手段】
【０００６】  請求項１の本発明の上下可動コンセントは、電源コードを介して外部から給電されるコンセントにおいて、手動又は、電動等の方法により、固定されたレールに沿って任意に上下方向に移動させることができることを特徴とする。【０００７】  請求項２の本発明の上下可動コンセントは、請求項１において、レールに沿って移動させることができるホルダーに、卓上延長コンセントを固定する構造を備えることを特徴とする。【０００８】  請求項３の本発明の上下可動コンセントは、請求項１において、レールで構成される本体を天井から床面にかけて取り付けられる構造を備えることを特徴とする。
【発明の効果】
【０００９】  請求項１の本発明の上下可動コンセントによれば、高齢者等の腰の具合が良くない人が、直立した状態で腰痛を感じることなく、家電製品等の電源プラグをコンセントから抜き差しすることができる。【００１０】  請求項２の本発明の上下可動コンセントによれば、市販卓上延長コンセントをホルダーに固定することで容易に上下動コンセントを実現できる。【００１１】  請求項３の本発明の上下可動コンセントによれば、レールで構成される本体を天井から床面にかけて取り付けられる構成にすることで、住宅内等の任意の場所で上下動コンセントを実現できる。
【図面の簡単な説明】
【００１２】
【図１】本発明の実施例１を示す上下動コンセントの壁内部構成図である。
【図２】本発明の実施例１を示す上下動コンセントの壁表面図である。
【図３】本発明の実施例２を示す上下動コンセントの壁内部構成図である。
【図４】本発明の実施例３を示す上下動コンセントの全体構成図である。
【発明を実施するための形態】
【実施例１】
【００１３】  本発明の実施例を図面を基に説明する。図１に示す本発明の実施例１の上下動コンセントは、住宅等建築時に予め壁の内部に構成する場合の、壁面コンセント１が壁内部に固定されたレール３に沿って上下動する実施例である。【００１４】  図１に示す本発明の実施例１の上下動コンセントは、上下方向に固定されたレール３に沿って移動できるホルダー２に固定された壁面コンセント１を備える。ホルダー２は、上下２つの滑車５に渡されたひも６を介して手動ハンドル４に接続されており、手動ハンドル４を手で上下に動かすことで壁面コンセント１が上下に動く。【００１５】  図２に示す手動ハンドルガイド８、壁面コンセントカバー９は、本発明を壁内部に構成した実施例において、レール等の構成物を壁の表面側から見えない様にするためのものである。
【実施例２】
【００１６】  図３に示す本発明の実施例２の上下動コンセントは、住宅等建築時に予め壁の内部に構成する場合の、壁面コンセント１が壁内部に固定されたレール３に沿って上下動する実施例であるが、壁表面に設置された上下動スイッチ１１を操作することで壁面コンセント１が電動によって上下動する点が実施例１と異なる。上下動スイッチ１１を操作することで、壁面コンセント１と共にホルダー２に固定されたストレートギヤ１２に組み合わされたモーター１０が回転し、壁面コンセント１が上下動する。
【実施例３】
【００１７】  図４に示す本発明の実施例３の上下動コンセントは、既に建築された住宅等に設置する場合の実施例である。【００１８】  図４に示す様に、市販卓上延長コンセント１３をホルダー２に固定し、壁面据え付けコンセント１４から給電することで容易に上下動コンセントを実現できる。上下動コンセント本体を住宅等の天井から床にかけて取り付けられる構成にすることで、屋内の任意の場所で上下動コンセントを実現できる。
【符号の説明】
【００１９】１壁面コンセント
２ホルダー
３レール
４手動ハンドル
５滑車
６ひも
７電源コード
８手動ハンドルガイド
９壁面コンセントカバー
１０モーター
１１上下動スイッチ
１２ストレートギヤ
１３市販卓上延長コンセント
１４壁面据え付けコンセント
【図１】
2019213447.tif 000003
【図２】
2019213447.tif 000004
【図３】
2019213447.tif 000005
【図４】
2019213447.tif 000006